(57)【要約】【課題】金庫ボックスが閲覧室へ呼び出された状態で、利用者が閲覧室から退室してしまう状況が発生しても、金庫ボックスに預け入れた物品を安全な状態で保護可能な自動貸金庫システム及びその管理装置を提供する。【解決手段】自動貸金庫システム１は、金庫室８外に設けられた閲覧テーブル２と、閲覧テーブル２と金庫室８との間で金庫ボックス１０を搬送する搬送機構３と、管理装置６とを備える。管理装置６は、搬送機構３を制御する搬送制御部６４と、所定の異常状態を検知する異常検知部（６６、６７）とを有し、金庫ボックス１０が閲覧テーブル２へ搬出された状態において、異常検知部（６６、６７）が所定の異常状態を検知したとき、利用者が搬出された状態の金庫ボックス１０に接触不可能な状態である場合に搬送機構３にその搬出された金庫ボックス１０を金庫室８へ搬入させる。【選択図】図１
2010156137.tif 000002
【特許請求の範囲】
【請求項１】
金庫室外に設けられた閲覧テーブルと、該閲覧テーブルと前記金庫室との間で利用者の預託品を収納する金庫ボックスを搬送する搬送機構と、該搬送機構による金庫ボックスの搬送制御を実行する管理装置とを備えた自動貸金庫システムであって、
前記閲覧テーブルは、
前記金庫室から搬出された金庫ボックスを利用者に提供するために、前記閲覧テーブルに形成されたボックス提供口と、
前記ボックス提供口を開放または閉鎖する開閉部とを有し、
前記管理装置は、
前記金庫室と前記閲覧テーブルとの間で特定の金庫ボックスを前記搬送機構に搬送させる搬送制御部と、
所定の異常状態を検知する異常検知部とを有し、
金庫ボックスが前記閲覧テーブルへ搬出された状態において、前記異常検知部が前記所定の異常状態を検知したとき、利用者が当該搬出された状態の金庫ボックスに接触不可能な状態である場合に前記搬送機構に当該金庫ボックスを前記金庫室へ搬入させる、
ことを特徴とする自動貸金庫システム。
【請求項２】
前記異常検知部は、前記閲覧テーブルへ搬出された金庫ボックスが放置されている状態を前記所定の異常状態として検知する、請求項１に記載の自動貸金庫システム。
【請求項３】
前記閲覧テーブルが設置された閲覧室への利用者の入室を規制する入室規制装置をさらに備え、
前記管理装置は、金庫ボックスが前記閲覧テーブルへ搬出された状態において、前記異常検知部が前記所定の異常状態を検知したとき、利用者が当該搬出された状態の金庫ボックスに接触可能な状態である場合には当該金庫ボックスの搬入は行わず、当該閲覧室への利用者の入室を禁止するよう前記入室規制装置を制御する、請求項１または２に記載の自動貸金庫システム。
【請求項４】
前記管理装置は、利用者が前記閲覧室へ入室する時に当該利用者を識別し、前記閲覧室への利用者の入室を禁止している間、前記搬出された状態の金庫ボックスを前記閲覧テーブルへ搬出させた利用者のみ前記閲覧室への入室を許可するよう前記入室規制装置を制御する、請求項３に記載の自動貸金庫システム。
【請求項５】
金庫室外に設けられ利用者の預託品を収納する金庫ボックスを利用者に提供するためのボックス提供口及び該ボックス提供口を開放または閉鎖する開閉部を有する閲覧テーブルと、該閲覧テーブルと前記金庫室との間で前記金庫ボックスを搬送する搬送機構と、該搬送機構を制御する制御装置を備えた自動貸金庫システムの管理装置であって、
金庫ボックスが前記閲覧テーブルへ搬出された状態において、所定の異常状態を検知したとき、前記開閉部が閉鎖状態である場合に、前記搬送機構の制御装置に対して当該金庫ボックスを前記金庫室へ搬入させる信号を送信する、
ことを特徴とする管理装置。
【発明の詳細な説明】
【技術分野】
【０００１】
本発明は、自動貸金庫システム及びその管理装置に関し、特に、金庫室内に収納された金庫ボックスを閲覧室に設置された閲覧テーブルへ搬出して利用者に提供する自動貸金庫システム及びその管理装置に関する。
【背景技術】
【０００２】
従来より、貴重品を収納する複数の金庫ボックスを防盗性及び防火性に優れた金庫室で保管し、利用者による貴重品の預入、閲覧または引出の際に、特定の金庫ボックスを金庫室から閲覧室へ自動搬送して利用者に提供する自動貸金庫システムが利用されている（例えば、特許文献１を参照）。
このような自動貸金庫システムでは、閲覧室内に利用者が金庫ボックスを閲覧するための閲覧テーブルが設置される。そしてその閲覧テーブルは、操作案内を表示したり、利用者が暗証番号または操作コマンドを入力するためのタッチパネルディスプレイと、金庫ボックスを提供するためのボックス提供口と、ボックス提供口を開閉するための開閉シャッタを有する。利用者は、タッチパネルディスプレイを操作することにより、その利用者に貸し与えられた金庫ボックスをボックス提供口に呼び出した上、開閉シャッタを開ける指示を行って、その金庫ボックスを露出させる。そして利用者が金庫ボックスから物品を取り出したり、金庫ボックスに物品を預け入れる等の作業を行うことが可能となる。
【０００３】
また、自動貸金庫システムでは、利用者の安全及び預け入れる物品の秘匿性を確保するため、正当な利用資格を持つ利用者のみが閲覧室へ入室できるように、閲覧室の外側に認証装置が設置される。利用者が、所定の認証情報を、例えばＩＤカードを認証装置に読取らせることによって認証装置に入力した後、認証装置は、その認証情報に基づいて利用者が正当な利用資格を持つか否かを確認する。そして認証装置は、利用者が正当な利用資格を持つことを確認できれば、閲覧室の入口に設けられた扉の電気錠を解錠して、その利用者の閲覧室への入室を許可する。なお、特許文献１に開示されているように、利用者の待ち時間を少なくするために、閲覧室の外側に設けられた認証装置が利用者が正当な利用資格を持つことを確認した時点で、その利用者の認証情報により特定される金庫ボックスの金庫室からの搬送を開始するシステムも提案されている。
【０００４】
【特許文献１】特開２００３−３０１６６４号公報
【発明の開示】
【発明が解決しようとする課題】
【０００５】
ここで、利用者が認証装置に認証処理を行わせたものの、閲覧室に入室しなかった場合、あるいは、利用者が閲覧テーブルで金庫ボックスの呼び出し操作を行った状態で、閲覧室から途中退室した場合、呼び出された金庫ボックスが金庫室から搬出された状態で放置されることになる。この場合、その金庫ボックスに保管されている物品の安全性が損なわれてしまう。
【０００６】
そこで、本発明は、金庫ボックスが閲覧室へ呼び出された状態で、利用者が閲覧室から退室してしまう状況が発生しても、金庫ボックスに預け入れた物品を安全な状態で確実に保護可能な自動貸金庫システム及びその管理装置を提供することを目的とする。
【課題を解決するための手段】
【０００７】
かかる課題を解決するための本発明の一つの実施形態によれば、金庫室外に設けられた閲覧テーブルと、閲覧テーブルと金庫室との間で利用者の預託品を収納する金庫ボックスを搬送する搬送機構と、搬送機構による金庫ボックスの搬送制御を実行する管理装置とを備えた自動貸金庫システムが提供される。係る自動貸金庫システムにおいて、閲覧テーブルは、金庫室から搬出された金庫ボックスを利用者に提供するために、閲覧テーブルに形成されたボックス提供口と、ボックス提供口を開放または閉鎖する開閉部とを有する。また、管理装置は、金庫室と閲覧テーブルとの間で特定の金庫ボックスを搬送機構に搬送させる搬送制御部と、所定の異常状態を検知する異常検知部とを有し、金庫ボックスが閲覧テーブルへ搬出された状態において、異常検知部が所定の異常状態を検知したとき、利用者が搬出された状態の金庫ボックスに接触不可能な状態である場合に搬送機構にその搬出された状態の金庫ボックスを金庫室へ搬入させる。
【０００８】
また本発明の一つの実施形態に係る自動貸金庫システムにおいて、異常検知部は、閲覧テーブルへ搬出された金庫ボックスが放置されている状態を所定の異常状態として検知することが好ましい。例えば、異常検知部は、金庫ボックスが搬出された状態で利用者が閲覧テーブルの操作を行わずに所定期間を経過したとき、金庫ボックスが放置されている状態であると判定できる。
【０００９】
また本発明の一つの実施形態に係る自動貸金庫システムは、閲覧テーブルが設置された閲覧室への利用者の入室を規制する入室規制装置をさらに備え、管理装置は、金庫ボックスが閲覧テーブルへ搬出された状態において、異常検知部が所定の異常状態を検知したとき、利用者が搬出された状態の金庫ボックスに接触可能な状態である場合にはその金庫ボックスの搬入は行わず、閲覧室への利用者の入室を禁止するよう入室規制装置を制御することが好ましい。
【００１０】
この場合において、管理装置は、利用者が閲覧室へ入室する時にその入室しようとする利用者を識別し、閲覧室への利用者の入室を禁止している間、搬出された状態の金庫ボックスを閲覧テーブルへ搬出させた利用者のみ閲覧室への入室を許可するよう入室規制装置を制御することが好ましい。
【００１１】
さらに本発明の一つの実施形態に係る自動貸金庫システムにおいて、管理装置は、閲覧テーブルの開閉部が閉鎖状態である場合に利用者が搬出された状態の金庫ボックスに接触不可能な状態であると判定し、開閉部が開放状態である場合に、利用者が搬出された状態の金庫ボックスに接触可能な状態であると判定することが好ましい。
【００１２】
また本発明の他の実施形態によれば、金庫室外に設けられ利用者の預託品を収納する金庫ボックスを利用者に提供するためのボックス提供口及びボックス提供口を開放または閉鎖する開閉部を有する閲覧テーブルと、閲覧テーブルと金庫室との間で金庫ボックスを搬送する搬送機構と、搬送機構を制御する制御装置を備えた自動貸金庫システムの管理装置が提供される。そして管理装置は、金庫ボックスが閲覧テーブルへ搬出された状態において、所定の異常状態を検知したとき、開閉部が閉鎖状態である場合に、搬送機構の制御装置に対して搬出された状態の金庫ボックスを金庫室へ搬入させる信号を送信する。
【発明の効果】
【００１３】
本発明に係る自動貸金庫システム及びその管理装置は、金庫ボックスが閲覧室へ呼び出された状態で、利用者が閲覧室から退室してしまう状況が発生しても、金庫ボックスに預け入れた物品を安全な状態で確実に保護可能という効果を奏する。
【発明を実施するための最良の形態】
【００１４】
以下、本発明の一実施形態に係る自動貸金庫システムを図を参照しつつ説明する。この自動貸金庫システムは、何らかの事情により、利用者が預け入れる物品（預託品）を収納する金庫ボックスが閲覧室に呼び出された状態で、利用者が閲覧室から退室した、あるいは退出するような異常事態が発生したときに、その異常事態の発生を検知して、閲覧室に呼び出されている金庫ボックスを強制的に金庫室内へ搬入するものである。そしてこの自動貸金庫システムは、その異常事態が火災発生である場合には、金庫ボックスの強制搬入後に防火シャッタを閉鎖する。特にこの自動貸金庫システムは、金庫ボックスを強制的に金庫室内へ搬入する際、その強制搬入動作によって利用者が怪我しないよう、利用者が呼び出されている金庫ボックスに接触できないことを確認した上で、その強制搬入動作を実行する。
【００１５】
図１は、自動貸金庫システム１の概略構成を示す。図１に示すように、自動貸金庫システム１は、閲覧テーブル２と、搬送機構３と、防火シャッタ４と、カードリーダ５と、管理装置６とを有する。以下、自動貸金庫システム１の各部について詳細に説明する。
【００１６】
閲覧テーブル２は、閲覧室７にその一面が閲覧室７と金庫室８を隔てる壁面に接するように設置される。そして閲覧テーブル２は、自動貸金庫システム１の利用者が、防火壁で囲まれた金庫室８内に保管されている金庫ボックス１０を閲覧するための操作を行い、また金庫ボックス１０を閲覧する際に金庫ボックス１０が載置されるテーブルとして機能する。
図２に、閲覧テーブル２の機能ブロック図を示す。図１及び図２に示すように、閲覧テーブル２は、操作・表示部２１と、ボックス提供口２２と、提供口シャッタ２３と、通信部２４と、制御部２５とを有する。
【００１７】
操作・表示部２１は、例えば、タッチパネルディスプレイを有し、閲覧テーブル２の正面上部に設けられる。そして操作・表示部２１は、操作案内または現在のステータス情報など、利用者に通知すべき情報を表示する。また操作・表示部２１は、利用者が暗証番号または操作コマンドを入力するための操作ボタンを表示する。そして利用者が表示された操作ボタンの何れかを押下すると、操作・表示部２１は、その操作ボタンに応じたコマンドまたは入力情報を制御部２５へ送信する。
【００１８】
なお、操作・表示部２１は、スピーカなど音声により利用者に情報を伝達するための手段を有していてもよい。あるいは、操作・表示部２１は、マイクロホンなど、利用者の音声を収集して、その音声に対応する信号を制御部２５へ伝達する手段を有していてもよい。さらに操作・表示部２１は、情報を表示するためのディスプレイ装置と、キーパッドまたはトラックボールなど、利用者が入力操作を行うための入力装置とを別個に有していてもよい。ただし、操作・表示部２１は、ディスプレイ装置と入力装置とを別個に有している場合でも、利用者がディスプレイ装置に表示された情報を確認しながら所定の入力操作を実行できるように、ディスプレイ装置と入力装置とは近接して配置されることが好ましい。
【００１９】
ボックス提供口２２は、閲覧テーブル２の内部にまで延伸された搬送機構３の搬送コンベア３１の一端の上方の位置において閲覧テーブル２の筐体２６に形成された略矩形の開口である。そして利用者は、ボックス提供口２２を通じて、その搬送コンベア３１の一端にまで搬送されてきた金庫ボックス１０を閲覧可能となっている。利用者は、ボックス提供口２２に露出した金庫ボックス１０の蓋を予め貸与された鍵を使って開錠して開け、金庫ボックス１０内への物品（預託品）の預け入れ、あるいは取り出しを行う。ただし、金庫ボックス１０自体は、ボックス提供口２２から取り出せないように、ボックス提供口２２の開口サイズが設定されるか、金庫ボックス１０が搬送コンベア３１上に固定されることが好ましい。
【００２０】
提供口シャッタ２３は、ボックス提供口２２に取り付けられる電動式シャッタであり、制御部２５からの制御信号に応じて、ボックス提供口２２を開放または閉鎖する開閉部として機能する。なお、提供口シャッタ２３の開閉状態を検知するために、、例えば、提供口シャッタ２３がボックス提供口２２を閉鎖した状態のときに、提供口シャッタ２３の先端が接触する位置に近接センサ、接触センサなどの開閉検知センサ（図示せず）が設けられる。そして、その開閉検知センサは、提供口シャッタ２３がボックス提供口２２を閉じたことを検知すると、そのことを示す信号を、制御部２５へ送信する。
【００２１】
通信部２４は、閲覧テーブル２と管理装置６とを通信ネットワークを介して接続するためのインターフェースであり、例えば、イーサネット（登録商標）などの通信規格にしたがった通信インターフェース及びその周辺回路などで構成される。そして通信部２４は、閲覧テーブル２と管理装置６との間で各種信号を送受信する。
【００２２】
制御部２５は、マイクロプロセッサ、揮発性メモリあるいは不揮発性メモリ及びその周辺回路を有する。そして制御部２５は、制御部２５を構成するマイクロプロセッサ上で実行されるコンピュータプログラムに従って、閲覧テーブル２を制御する。例えば、制御部２５は、管理装置６から、閲覧室７内に利用者が入室したことを知らせる信号を受信すると、操作・表示部２１に、暗証番号の入力画面を表示させる。そして制御部２５は、操作・表示部２１を介して入力された暗証番号を管理装置６へ送信する。また制御部２５は、操作・表示部２１を介した利用者の操作に従って、閲覧テーブル２まで搬出された金庫ボックス１０を金庫室８内に搬入するよう、搬入開始指示信号を管理装置６へ送信する。さらに、制御部２５は、管理装置６から提供口シャッタ２３を開放または閉鎖させる信号を受信すると、その信号に従って提供口シャッタ２３を駆動する。そして制御部２５は、提供口シャッタ２３を開けた場合、あるいは提供口シャッタ２３を閉じた場合、開閉検知センサからの信号を参照して、提供口シャッタ２３の開閉状態を判断し、その開閉状態を示すボックス提供口開閉状態信号を管理装置６へ送信する。
【００２３】
搬送機構３は、管理装置６からの駆動信号に応じて、金庫室８内に設置された収納ラック８１から、所定位置に収納されている金庫ボックス１０を取り出して、閲覧室７へ搬出する。あるいは、搬送機構３は、管理装置６からの駆動信号に応じて、閲覧室７へ搬出されている金庫ボックス１０を、金庫室８内に搬入し、収納ラック８１の所定位置に収納する。そのために、搬送機構３は、搬送コンベア３１と、スタッカクレーン３２と、それらを駆動する駆動部（図示せず）とを有する。
【００２４】
搬送コンベア３１は、管理装置６からの駆動信号に応じて、閲覧室７と金庫室８を隔てる壁に形成された搬入口９を経由する搬送路に沿って、金庫ボックス１０を金庫室８の内部と閲覧室７内に設置された閲覧テーブル２のボックス提供口２２の下方位置との間を搬送する。
スタッカクレーン３２は、搬出時、複数の金庫ボックス１０を収納する収納ラック８１の何れかの位置から金庫ボックス１０を取り出し、走行レールに沿って移動して、搬送コンベア３１の金庫室８側の一端まで取り出した金庫ボックス１０を運ぶ。あるいは、スタッカクレーン３２は、搬入時、搬送コンベア３１の金庫室８側の一端上に置かれた金庫ボックス１０を保持した後、走行レールに沿って移動して、収納ラック８１の所定位置にまでその金庫ボックス１０を運び、その所定位置に収納する。
なお、搬送コンベア３１及びスタッカクレーン３２は、例えば、公知の自動貸金庫システムにおいて使用されている搬送コンベア及びスタッカクレーンの何れかにより構成することができる。そのため、ここでは、搬送コンベア３１及びスタッカクレーン３２の詳細な構成の説明は省略する。
【００２５】
防火シャッタ４は、搬入口９に設けられ、管理装置６からの制御信号に応じて搬入口９を開閉する。そして防火シャッタ４は、耐火性能を有し、搬入口９を閉鎖することにより、金庫室８の周囲で火災が発生した時に、金庫室８内へ延焼することを防止する。そのために、防火シャッタ４は、例えば、公知の様々な電動式の防火シャッタの何れかとすることができる。
【００２６】
カードリーダ５は、例えば、前室から閲覧室７への入り口に設置されたドア７１の近傍で、前室に設置される。そしてカードリーダ５は、ドア７１に設けられた電気錠７２の施解錠制御に利用するため、利用者が所持するＩＤカードから、その利用者の個人識別番号を読取って管理装置６へ通知する。なお、カードリーダ５は、ＩＤカードの種別に応じて、例えば、磁気カードリーダ、あるいは無線自動識別（RFID）システムのリーダとすることができる。
【００２７】
管理装置６は、例えば、いわゆるコンピュータで構成され、自動貸金庫システム１全体を制御する。管理装置６は、金庫室８内、あるいは、閲覧室７及び金庫室８とは別個の場所に設置され、通信ネットワークを介して閲覧テーブル２、搬送機構３、防火シャッタ４及びカードリーダ５と接続される。
図３に、管理装置６の機能ブロック図を示す。図３に示すように、管理装置６は、半導体メモリ、磁気記録媒体及びそのアクセス装置、あるいは光記録媒体及びそのアクセス装置などを有する記憶部６１と、管理装置６を所定の通信規格に従って通信ネットワークに接続通信インターフェース及びその制御回路を有する通信部６２とを有する。
【００２８】
記憶部６１は、予め登録された利用者の個人識別番号及び暗証番号と、その利用者に貸し与えられた金庫ボックス１０の収納ラック８１内の保管位置とを関連付けて記憶する。また記憶部６１は、管理装置６が有するプロセッサ上で動作する各種プログラム及びそれらプログラムが利用する各種データを記憶する。
【００２９】
通信部６２は、閲覧テーブル２、搬送機構３、防火シャッタ４及びカードリーダ５から、通信ネットワークを介して、現在の状態を表す状態信号、利用者により入力された暗証番号、あるいは提供口シャッタ２３の開閉指示などのコマンドを表す信号を取得し、それらの信号を管理装置６のプロセッサへ渡す。また通信部６２は、プロセッサから受け取った金庫ボックス１０の搬送状況を知らせる信号を、通信ネットワークを介して、閲覧テーブル２に送信する。さらに通信部６２は、所定の金庫ボックス１０の搬送または防火シャッタ４による搬入口９の開閉を行わせるために、搬送機構３及び防火シャッタ４に対して、プロセッサから受け取った駆動信号あるいは制御信号を、通信ネットワークを介して送信する。
【００３０】
また通信部６２は、閲覧室７、前室あるいは自動貸金庫システム１が設置された建物内に設けられた少なくとも一つの火災検知器（図示せず）、あるいは地震検知器といった異常検知器とも通信ネットワークを介して接続され、何れかの異常検知器が異常を検知した時に出力する異常検知信号を、通信ネットワークを介して取得して、管理装置６のプロセッサへ通知する。さらに通信部６２は、前室に設置された監視用カメラと通信ネットワークを介して接続され、その監視用カメラにより撮影された前室の画像を取得してプロセッサへ渡してもよい。
【００３１】
また管理装置６は、管理装置６が有するプロセッサ上で動作するプログラムモジュールとして、認証制御部６３と、搬送制御部６４と、テーブル制御部６５と、放置監視部６６と、火災監視部６７とを有する。
【００３２】
認証制御部６３は、利用者が予め登録された利用者か否か判定し、登録された利用者である場合に、利用者が前室から閲覧室７へ進入すること、あるいは、閲覧テーブル２の操作を許可する。
ここで、閲覧室７と前室との境界に設置されたドア７１と、そのドア７１に設けられた電気錠７２は、前室から閲覧室７への通行を規制する入室規制装置を構成しており、電気錠７２は、通常時において施錠されている。そして電気錠７２は、通信ネットワークを介して管理装置６と接続され、管理装置６がその電気錠７２に制御信号を送信することによって施解錠制御することが可能となっている。
【００３３】
認証制御部６３は、利用者が前室から閲覧室７へ進入する際に、カードリーダ５に読み取らせた個人識別番号を、通信部６２を介してカードリーダ５から取得して、予め記憶部６１に記憶されている登録識別番号と照合する。そして認証制御部６３は、カードリーダ５から取得した個人識別番号が何れかの登録識別番号と一致し、閲覧室７を他の利用者が使用中ではなく、かつ後述する入室禁止モードが記憶部６１に設定されていなければ、電気錠７２を解錠制御し（あるいはさらにドア７１を開放し）、閲覧室７への通行規制を解除する。なお、電気錠７２は、解錠後一定期間が経過した後、あるいは、ドア７１が一度開放された後に閉じられた時、自動的に施錠される。また認証制御部６３は、その利用者に貸し与えられた金庫ボックス１０の搬出処理を開始する搬出開始信号とともに、その利用者の個人識別番号を、搬送制御部６４に通知する。さらに認証制御部６３は、そのときの個人識別番号を、閲覧室７内にいる利用者を表す現在利用者情報として、一時的に記憶部６１に記憶する。この現在利用者情報が記憶されている間、管理装置６は、閲覧室７内に利用者がいると判定する。
また認証制御部６３は、閲覧テーブル２の操作・表示部２１を介して提供口シャッタ２３が閉じられる操作が行われ、その後、サムターンまたは解錠ボタンにより電気錠７２を解錠する操作が行われると、閲覧室７は無人であると判定し、現在利用者情報を記憶部６１から消去する。
【００３４】
一方、認証制御部６３は、カードリーダ５から取得した個人識別番号が何れの登録識別番号とも一致しない場合、その旨を通信部６２を介してカードリーダ５に通知する。そしてカードリーダ５は、カードリーダ５自身に設けられたスピーカ、液晶ディスプレイなどを通じて、閲覧室７を利用できないこと及びＩＤカードが正当なものでないことを利用者に報知する。また認証制御部６３は、閲覧室７を他の利用者が使用中である場合、その旨を通信部６２を介してカードリーダ５に通知する。そしてカードリーダ５は、カードリーダ５自身に設けられたスピーカ、液晶ディスプレイなどを通じて、閲覧室７を利用できないことを利用者に報知する。
【００３５】
また認証制御部６３は、閲覧室７内に進入した利用者が自己に貸し与えられた金庫ボックス１０を閲覧することを許可するか否かを決定するために、その利用者の暗証番号を用いて照合処理を実行する。具体的には、認証制御部６３は、閲覧テーブル２の操作・表示部２１を介して利用者により入力された暗証番号を、通信部６２を介して取得する。そして認証制御部６３は、その取得した暗証番号を、閲覧室７内にいる利用者を表す個人識別番号と関連付けて記憶部６１に記憶されている暗証番号と一致するか否か確認する。そして認証制御部６３は、両者が一致する場合、その旨をテーブル制御部６５へ通知する。一方、認証制御部６３は、閲覧テーブル２から受信した暗証番号が、閲覧室７内にいる利用者を表す個人識別番号と関連付けて記憶部６１に記憶されている暗証番号と一致しない場合、閲覧テーブル２に対して暗証番号が間違っていることを示す信号を通知し、閲覧テーブル２の操作・表示部２１に暗証番号が間違っている旨のメッセージを表示させる。
【００３６】
搬送制御部６４は、搬送機構３を制御して、金庫ボックス１０の搬送処理を行う。そこで搬送制御部６４は、認証制御部６３から金庫ボックス１０の搬出開始信号を受けとると搬出処理を実行し、搬出開始信号とともに通知された個人識別番号に関連付けられている金庫ボックス１０の収納位置を記憶部６１を参照することにより特定する。そして搬送制御部６４は、スタッカクレーン３２を制御して、収納ラック８１の特定された位置に収納されている金庫ボックス１０を取り出し、その金庫ボックス１０を搬送コンベア３１の金庫室８側の一端まで運ばせる。その後、搬送制御部６４は、搬送コンベア３１を制御して、搬送コンベア３１の金庫室８側の一端上に置かれている金庫ボックス１０を、搬入口９を通じて閲覧テーブル２のボックス提供口２２の下方まで運ばせる。
【００３７】
一方、閲覧テーブル２の操作・表示部２１を介した利用者の提供口シャッタ２３の閉鎖操作に伴う搬入開始信号を後述のテーブル制御部６５から受信すると搬入処理を実行し、搬送制御部６４は閲覧室７内に置かれている金庫ボックス１０を金庫室８内に搬入する。そのために、搬送制御部６４は、搬送コンベア３１を制御して、閲覧テーブル２のボックス提供口２２の下方に置かれている金庫ボックス１０を搬入口９を通じて搬送コンベア３１の金庫室８側の一端まで運ばせる。その後、搬送制御部６４は、スタッカクレーン３２を制御して、その搬送コンベア３１の一端の上に置かれている金庫ボックス１０を、閲覧テーブル２を操作していた利用者の個人識別番号と関連付けられている、収納ラック８１の特定位置に収納する。
【００３８】
また、搬送制御部６４は、後述する放置監視部６６若しくは火災監視部６７から強制搬入信号を受信した場合も、閲覧室７内に搬出されている金庫ボックス１０を金庫室８内に搬入する。ただし、利用者が金庫ボックス１０に接触可能な状態で金庫ボックス１０を搬入すると、利用者が怪我をしてしまうおそれがある。そこでこの場合、搬送制御部６４は、利用者が閲覧室７内に搬出された金庫ボックス１０に接触不可能である場合に、強制搬入処理を実行する。具体的には、搬送制御部６４は、搬入処理を開始する前に、閲覧テーブル２から受信した最新のボックス提供口開閉状態信号を参照する。そして、ボックス提供口開閉状態信号が閲覧テーブル２の提供口シャッタ２３が閉じていることを示していれば、利用者は閲覧室２内に置かれている金庫ボックス１０に触れることはできないので、搬送制御部６４は、その金庫ボックス１０を金庫室８内に搬入する。
一方、最新のボックス提供口開閉状態信号が提供口シャッタ２３が開いていることを示していれば、利用者は閲覧室７内に搬出されている金庫ボックス１０に触れることが可能である。この場合、提供口シャッタ２３を強制的に閉鎖させてしまうと、利用者が怪我をしたり、または預託品が破損するおそれがある。よって、搬送制御部６４は、金庫ボックス１０を金庫室８内へ搬入できないことを示す搬入不可信号を、送信部６２を介して閲覧テーブル２または管理装置６と通信ネットワークを介して接続された保守装置などへ送信する。さらにこの場合、管理装置６は、管理者により放置された金庫ボックス１０が回収されて異常状態から正常状態に復旧するまでの間、電気錠７２を施錠状態に維持して、閲覧室７に誰も入れないようにするための入室禁止モードを記憶部６１に設定する。
これにより、搬送制御部６４は、金庫ボックス１０の強制搬入によって利用者が怪我をしてしまうことを防止できるとともに、閲覧室７内に放置された金庫ボックス１０を保護することができる。
【００３９】
さらに搬送制御部６４は、搬入口９に設けられた防火シャッタ４を制御して、搬入口９を開閉する。具体的には、自動貸金庫システム１の起動時に、搬送制御部６４は、防火シャッタ４を開放し、金庫ボックス１０を閲覧室７へ搬出することを可能にする。一方、自動貸金庫システム１のシャットダウン時、あるいは、後述する火災監視部６７から防火シャッタ閉鎖信号を受信したとき、搬送制御部６４は、防火シャッタ４を閉鎖して、金庫室８内への侵入及び延焼を防止する。なお、搬入処理の実行中である場合、搬送制御部６４は、搬入中の金庫ボックス１０が搬入口９を通過して金庫室８内まで搬送された後、防火シャッタ４を閉鎖する。
【００４０】
テーブル制御部６５は、閲覧テーブル２の制御部２５を介して、閲覧テーブル２の操作・表示部２１に表示される操作案内画面の切り替えを行ったり、操作・表示部２１を通じた利用者の操作に従って、ボックス提供口２２に設けられた提供口シャッタ２３を開閉させる。具体的には、テーブル制御部６５は、認証制御部６３から、暗証番号の認証に成功した旨の通知を受けると、閲覧テーブル２の操作・表示部２１に、提供口シャッタ２３を開けるための操作ボタン及び操作ガイドを表示させる。また、提供口シャッタ２３を開ける操作が行われたことを示す信号を閲覧テーブル２から受け取ると、テーブル制御部６５は、閲覧テーブル２の制御部２５に提供口シャッタ２３を開放させる指示を送信して、制御部２５に提供口シャッタ２３を開けさせる。あるいは、操作・表示部２１を通じて提供口シャッタ２３を閉める操作が行われたことを示す信号（搬入開始指示信号）を閲覧テーブル２から受け取ると、テーブル制御部６５は、閲覧テーブル２の制御部２５に、提供口シャッタ２３を閉鎖させる指示を送信して、提供口シャッタ２３を閉鎖させる。そしてテーブル制御部６５は提供口シャッタ２３が閉鎖状態である旨の開閉状態信号を受信すると、搬送制御部６４へ搬入開始信号を渡す。
【００４１】
放置監視部６６は、何れかの利用者が閲覧室７を利用している間に、金庫ボックス１０が閲覧室７内に一定時間放置されたことを放置異常状態として検出する。その放置異常状態の監視期間は、例えば、カードリーダ５によって読み取られた個人識別番号に対する認証が成功して搬出処理が実行された後、閲覧テーブル２の操作・表示部２１を介して、ボックス提供口２２を閉じる操作が行われて搬入処理が実行されるまでとすることができる。そして放置監視部６６は、その監視期間内で、閲覧テーブル２の操作・表示部２１が一定時間（例えば、１０分間）操作されなかった場合、放置異常状態と判定する。具体的には、放置監視部６６は、搬出処理が実行された時点で管理装置６が有するタイマを起動し、操作されていない期間を計時する。そして放置監視部６６は、操作・表示部２１を介して新たな操作が行われる度に、計時されている時間をリセットし、その新たな操作が行われた時刻から計時を開始する。そして放置監視部６６は、搬入処理が実行された時点でタイマを停止する。
【００４２】
また、閲覧室７内に人体検知センサが別途設置され、その人体検知センサから人体検知したことを表す信号を管理装置６が受信する構成とした場合、放置監視部６６は、監視期間内において、人体検知センサから人体を検知したことを示す信号を一定時間（例えば、１０分間）連続して受信しなかった場合、放置異常状態と判定してもよい。なお、そのような人体検知センサとして、例えば、閲覧室７内を撮影した画像から人を検出する画像センサ、あるいは赤外線センサを用いることができる。また放置監視部６６は、上述のような操作・表示部２１の操作及び人体検知センサによる人体検知が、共に一定時間為されなかった場合に、放置異常と判定してもよい。
放置異常が検出された場合、放置監視部６６は、搬送制御部６４へ強制搬入信号を送信する。
【００４３】
火災監視部６７は、閲覧室７、前室あるいは自動貸金庫システム１が設置された建物内に設けられた少なくとも一つの火災検知器から、通信ネットワークを介して火災が発生したことを示す火災発生信号を受信すると、火災発生異常と判定する。そして火災監視部６７は、火災発生異常と判定したとき、搬送制御部６４へ強制搬入信号及び防火シャッタ閉鎖信号を送信する。
さらに、火災監視部６７は、閲覧室７、前室あるいは自動貸金庫システム１が設置された建物内に設けられた少なくとも一つの地震検知器から、通信ネットワークを介して、所定震度（例えば、震度５弱）以上の地震が発生したことを示す地震発生信号を受信したとき、地震発生異常と判定し、搬送制御部６４へ強制搬入信号及び防火シャッタ閉鎖信号を送信してもよい。
【００４４】
なお、管理装置６は、前室に設置され、閲覧室７のドアの外側を撮影する監視カメラを制御し、その監視カメラから取得した映像を、常時、あるいは金庫ボックス１０の閲覧終了後などの特定の場合に閲覧テーブル２へ送信するカメラ制御部を有していてもよい。
また、管理装置６は、閲覧テーブル２の操作・表示部２１を介して行われた解錠操作にしたがって、電気錠７２を解錠制御する電気錠制御部を有していてもよい。
【００４５】
図４及び図５を参照しつつ、本発明の一実施形態に係る自動貸金庫システム１の全体動作フローについて説明する。以下に説明する動作フローは、管理装置６により制御される。
まず、利用者が、閲覧室７の外側に設けられたカードリーダ５に、自己の所有するＩＤカードを読取らせる。このとき、閲覧室７内に既に他の利用者いるか否かを判定し（ステップＳ１０１）、他の利用者が閲覧室７を利用中であれば、管理装置６はその閲覧室７が利用できないことを利用者に通知し（ステップＳ１０３）、閲覧室７と前室の境界に設けられたドア７１の電気錠７２を施錠したままとする。
【００４６】
一方、閲覧室７内に他の利用者がいなければ、管理装置６の認証制御部６３は、カードリーダ５が読み取った個人識別番号が、予め記憶部６１に記憶されている何れかの登録識別番号と一致するか否か判定する（ステップＳ１０２）。認証制御部６３は、カードリーダ５から取得した個人識別番号が何れの登録識別番号とも一致しない場合、その旨を通信部６２を介してカードリーダ５に通知する。そしてカードリーダ５は、カードリーダ５自身に設けられたスピーカ、液晶ディスプレイなどを通じて、閲覧室７を利用できないこと及びＩＤカードが正当なものでないことを利用者に報知する（ステップＳ１０３）。その後、管理装置６は処理を終了する。
【００４７】
一方、認証制御部６３は、カードリーダ５から取得した個人識別番号が何れかの登録識別番号と一致した場合、記憶部６１に入室禁止モードが設定されているか否かを確認し（ステップＳ１０４）、入室禁止モードが設定されている場合は、利用停止中であり、閲覧室７を利用できない旨を利用者に報知する（ステップＳ１０３）。一方、入室禁止モードが設定されていない場合、認証制御部６３は、電気錠７２を解錠制御し、閲覧室７への通行規制を解除する（ステップＳ１０５）。また認証制御部６３は、そのときの個人識別番号を、閲覧室７内にいる利用者を表すものとして、一時的に記憶部６１に記憶する。さらに、認証制御部６３は、搬出開始信号及びカードリーダ５から取得した個人識別を管理装置６の搬送制御部６４へ通知する。そして搬送制御部６４は、搬送機構３を制御して、受け取った個人識別番号により特定される位置の金庫ボックス１０を閲覧室７へ搬出する処理を開始させる（ステップＳ１０６）。一方、管理装置６のテーブル制御部６５は、閲覧テーブル２の操作・表示部２１に、暗証番号を入力するための操作ボタンと操作ガイドを表示させる。
【００４８】
その後、管理装置６の放置監視部６６は、放置異常を検出したか否か判定する（ステップＳ１０７）。ステップＳ１０７にて、放置監視部６６が放置異常を検出していない場合、操作・表示部２１を介して暗証番号が入力されると、認証制御部６３は、その暗証番号が閲覧室７内にいる利用者を表す個人識別番号と関連付けて記憶部６１に記憶されている暗証番号と一致するか否か判定する（ステップＳ１０８）。認証制御部６３は、その暗証番号が、閲覧室７内にいる利用者を表す個人識別番号と関連付けて記憶部６１に記憶されている暗証番号と一致しない場合、閲覧テーブル２に対して暗証番号が間違っていることを示す信号を通知し、閲覧テーブル２の操作・表示部２１に暗証番号が間違っている旨のメッセージを表示させる。その後、管理装置６は、制御をステップＳ１０７へ戻す。
【００４９】
一方、ステップＳ１０８において、操作・表示部２１を介して入力された暗証番号が、現在利用者情報として記憶されている個人識別番号と関連付けて記憶部６１に記憶されている暗証番号と一致する場合、テーブル制御部６５は、操作・表示部２１に、提供口シャッタ２３を開けるための操作ボタン及び操作ガイドを表示させる（ステップＳ１０９）。
その後、テーブル制御部６５は、利用者が操作・表示部２１を介して提供口シャッタ２３を開く操作を行ったか否か判定する（ステップＳ１１０）。管理装置６が、閲覧テーブル２から提供口シャッタ２３を開ける操作が行われたことを示す信号を受信していない場合（ステップＳ１１０−Ｎｏ）、放置監視部６６は、放置異常を検出したか否か判定する（ステップＳ１１１）。ステップＳ１１１にて、放置監視部６６が放置異常を検出していなければ、制御はステップＳ１１０に戻される。
【００５０】
一方、ステップＳ１１０において、管理装置６が、閲覧テーブル２から提供口シャッタ２３を開ける操作が行われたことを示す信号を受信した場合（ステップＳ１１０−Ｙｅｓ）、テーブル制御部６５は、閲覧テーブル２の制御部２５に、提供口シャッタ２３を開放させるとともに、操作・表示部２１に提供口シャッタ２３を閉めるための操作ボタン及び操作ガイドを表示させる（ステップＳ１１２）。このとき、呼び出された金庫ボックス１０が閲覧テーブル２のボックス提供口２２まで搬送される搬出処理が完了していない場合は、制御部２５は、搬出処理が完了するまで、提供口シャッタ２３の開放を待機する。
これにより、利用者は自己に貸し与えられた金庫ボックス１０を利用することが可能となる。
【００５１】
ステップＳ１１２の後、放置監視部６６は、放置異常を検出したか否か判定する（ステップＳ１１３）。ステップＳ１１３にて、放置監視部６６が放置異常を検出していなければ、テーブル制御部６５は、利用者が操作・表示部２１を介して提供口シャッタ２３を閉じる操作を行ったか否か判定する（ステップＳ１１４）。管理装置６が、閲覧テーブル２から提供口シャッタ２３を閉じる操作が行われたことを示す信号を受信していない場合（ステップＳ１１４−Ｎｏ）、制御はステップＳ１１３に戻される。一方、管理装置６が、閲覧テーブル２から提供口シャッタ２３を閉じる操作が行われたことを示す信号を受信した場合（ステップＳ１１４−Ｙｅｓ）、テーブル制御部６５は、閲覧テーブル２の制御部２５に、提供口シャッタ２３を閉鎖させる（ステップＳ１１５）。その後、テーブル制御部６５は、搬送制御部６４へ搬入開始信号を通知し、それを受けて搬送制御部６４は、搬送機構３を制御して、閲覧室７内にある金庫ボックス１０を金庫室８に搬入し、収納ラック８１の利用者の個人識別番号により特定される位置に収納させる（ステップＳ１１６）。その後、管理装置６は処理を終了する。
【００５２】
また、図５に示すように、ステップＳ１０７、Ｓ１１１あるいはＳ１１３において、放置監視部６６が放置異常を検出した場合、放置監視部６６は、強制搬入信号を搬送制御部６４へ通知する。そして搬送制御部６４は、閲覧テーブル２から受信した最新のボックス提供口開閉状態信号を参照して、提供口シャッタ２３が閉じているか否か判定する（ステップＳ１１７）。搬送制御部６４は、提供口シャッタ２３が閉じていれば、搬送機構３を制御して、閲覧室７内にある金庫ボックス１０を金庫室８内に強制搬入する（ステップＳ１１８）。そして、搬送制御部６４は、搬送機構３を制御して、強制搬入した金庫ボックス１０を、収納ラック８１の利用者の個人識別番号により特定される位置に収納させる。
【００５３】
一方、ステップＳ１１７において、提供口シャッタ２３が開いている場合、搬送制御部６４は、金庫ボックス１０を金庫室８内へ搬入できないことを示す搬入不可信号を、送信部６２を介して閲覧テーブル２または管理装置６と通信ネットワークを介して接続された保守装置などへ通報する（ステップＳ１１９）。さらに、管理装置６は、ドア７１に設けられた電気錠７２を施錠した状態に保ち、以降管理者により異常復旧が為されるまで、誰も閲覧室７内に入れないように利用者の入室を禁止する入室禁止モードを設定する（ステップＳ１２０）。その後、管理装置６は管理者によって解除されるまで入室禁止モードを維持する。
【００５４】
次に、図６を参照しつつ、利用者が閲覧室７内にいる場合に、火災が発生した時の自動貸金庫システム１の動作フローを説明する。
【００５５】
管理装置６の火災監視部６７は、火災発生信号を受信すると、火災発生異常と判定する。そして火災監視部６７は、電気錠７２を解錠する（ステップＳ２０１）。また、テーブル制御部６５は、閲覧テーブル２の操作・表示部２１に、火災が発生したことを知らせるメッセージを表示させる。そして、火災監視部６７は、搬送制御部６４へ強制搬入信号及び防火シャッタ閉鎖信号を送信する。次に、搬送制御部６４は、閲覧室７内に搬出された金庫ボックス１０があるか否か判定する（ステップＳ２０２）。そして閲覧室７内に搬出された金庫ボックス１０がなければ、搬送制御部６４は、防火シャッタ４を閉鎖する（ステップＳ２０５）。そして管理装置６は処理を終了する。なお、搬送制御部６４は、閲覧室７内へ何れかの金庫ボックス１０の搬出処理を実行した後、その金庫ボックス１０を搬入処理を実行していなければ、閲覧室７内に搬出された金庫ボックス１０が存在すると判定できる。
【００５６】
一方、ステップＳ２０２において、閲覧室７内に搬出された金庫ボックス１０が存在すれば、搬送制御部６４は、閲覧テーブル２から受信した最新のボックス提供口開閉状態信号を参照して、提供口シャッタ２３が閉じているか否か判定する（ステップＳ２０３）。搬送制御部６４は、提供口シャッタ２３が閉じていれば、搬送機構３を制御して、閲覧室７内にある金庫ボックス１０を金庫室８内に強制搬入する（ステップＳ２０４）。そして、搬送制御部６４は、搬送機構３を制御して、強制搬入した金庫ボックス１０を、収納ラック８１の利用者の個人識別番号により特定される位置に収納させる。また、搬送制御部６４は、金庫ボックス１０を搬入口９よりも金庫室８内側へ搬入した時点で、防火シャッタ４を閉鎖する（ステップＳ２０５）。なお、搬入口９を通過する金庫ボックス１０を検知できるように、搬入口９にセンサを設けてもよい。この場合、ステップＳ２０４にて、センサが閲覧室７から強制搬入される金庫ボックス１０が搬入口９を通過したことを検知すると、その旨を示す検知信号を管理装置６へ送信する。そして搬送制御部６４は、センサからの検知信号を受信すると直ちにステップＳ２０５の処理を実行し、防火シャッタ４を閉鎖してもよい。
【００５７】
一方、ステップＳ２０３において、提供口シャッタ２３が開いている場合、搬送制御部６４は、金庫ボックス１０を金庫室８内へ搬入できないことを示す搬入不可信号を、送信部６２を介して閲覧テーブル２または管理装置６と通信ネットワークを介して接続された保守装置などへ通報する（ステップＳ２０６）。これと併行して、搬送制御部６４は、防火シャッタ４を閉鎖する（ステップＳ２０５）。
ステップＳ２０５の後、管理装置６は処理を終了する。
なお、自動貸金庫システム１は、管理装置６が所定震度以上の地震が発生したことを示す地震発生信号を地震検知センサから受信したときも、上記の図６に示したフローに従って、金庫ボックス１０の搬入及び防火シャッタ４を閉鎖してもよい。
【００５８】
以上説明してきたように、本発明の一実施形態に係る自動貸金庫システムは、何らかの事情により、金庫ボックスが閲覧室に呼び出された状態で、利用者が閲覧室から退室した、あるいは退出するような異常事態が発生したときに、その異常事態の発生を検知して、閲覧室に呼び出されている金庫ボックスを強制的に金庫室内へ搬入する。そのため、この自動貸金庫システムは、金庫ボックスに預け入れた物品を安全な状態で確実に保護することができる。
さらに、この自動貸金庫システムは、閲覧室内にある金庫ボックスが搬出されている間に、火災が発生したときには、その搬出されている金庫ボックスを強制的に金庫室内へ搬入した後、自動的に防火シャッタを閉鎖する。このため、この自動貸金庫システムは、金庫ボックスに預け入れた物品を安全な状態で確実に保護することができる。
またこの自動貸金庫システムは、金庫ボックスを強制的に金庫室内へ搬入する際、利用者が呼び出されている金庫ボックスに接触できないよう、提供口シャッタが閉じられていることを確認した上で、その強制搬入動作を実行するので、その強制搬入動作によって利用者が怪我したり、金庫ボックスに収納した物品が破損することを防止できる。
【００５９】
以上、本発明の好適な実施形態について説明してきたが、本発明はこれらの実施形態に限定されるものではない。例えば、この自動貸金庫システムは、搬送機構３を制御する制御装置を、管理装置６と別個に有し、その制御装置と管理装置６とが、通信ネットワークを介して接続されていてもよい。この場合、管理装置６の搬送制御部６４は、搬送機構３を駆動して金庫ボックス１０の搬入／搬出を行わせるために、搬送機構３を制御する制御装置に対して、収納ラック８１の収納位置を示す信号とともに、搬入指示信号または搬出指示信号を送信する。またその制御装置は、管理装置６から搬入指示信号及び収納位置を示す信号を受信すると、搬送機構３を制御して、閲覧室７にある金庫ボックス１０を金庫室８内へ搬入し、その金庫ボックス１０を収納ラック８１の所定位置に収納する。一方、その制御装置は、管理装置６から搬出指示信号及び収納位置を示す信号を受信すると、搬送機構３を制御して、収納ラック８１の所定位置に保管されている金庫ボックス１０を取り出し、その金庫ボックス１０を閲覧室７へ搬出する。さらに、搬送制御部６４は、閲覧室７内に搬出された金庫ボックス１０が金庫室８内に搬入されたことを、搬入口９に設置されたセンサからの信号などにより検知した後、あるいは、提供口シャッタ２３が開いていることを検知した後、制御装置に防火シャッタ閉鎖信号を送信して、その制御装置に防火シャッタ４を閉鎖させてもよい。
【００６０】
また、図５に示したステップＳ１２０において、閲覧室７への入室規制が実行される入室禁止モードが設定された後も、管理部６の認証制御部６３は、図５に示したステップＳ１０２において、カードリーダ５に読み取られた個人識別番号が、入室規制実行時に記憶部６１に現在利用者情報として記憶されている個人識別番号と一致する場合には、電気錠７２を解錠して、閲覧室７への入室を許可してもよい。これにより、自動貸金庫システム１は、何等かの事情で閲覧室７内に金庫ボックス１０を放置して一旦退室してしまった利用者が、自己の金庫ボックス１０を放置したまま何もできなくなる事態を防止できる。
【００６１】
また、人体検知センサによって閲覧室７内に利用者がいるか否かを検出可能となっている場合、搬送制御部６４は、図５に示したステップＳ１１７において、提供口シャッタ２３が閉じているか否か判定する代わりに、人体検知センサから、人体が検出されたことを示す信号を受信しているか否かを判定してもよい。そして搬送制御部６４は、人体が検出されたことを示す信号を受信していない場合にのみ、利用者が閲覧室７内に搬出された金庫ボックス１０に接触不可能であり、強制搬入処理によって利用者が怪我をする可能性はないと考えられるため、ステップＳ１１８の強制搬入処理を実行してもよい。さらに搬送制御部６４は、図５のステップＳ１１７において、提供口シャッタ２３が閉じているか、人体が検出されたことを示す信号を受信していないかの何れかであれば、ステップＳ１１８の強制搬入処理を実行してもよい。
【００６２】
さらに、図６に示したステップＳ２０６において、閲覧テーブル２の制御部２５は、管理装置６から搬入不可信号を受信すると、操作・表示部２１に、金庫ボックスを回収できないこと、及び、金庫ボックスを回収するために提供口シャッタ２３を閉じる操作を行うことを促すメッセージを表示させてもよい。さらにまた、制御部２５は、操作・表示部２１に、提供口シャッタ２３を閉じる操作ボタンを、通常時よりも大きく、あるいは色を変えて目立つように表示させてもよい。この場合、管理装置６の搬送制御部６４は、ステップＳ２０６からステップＳ２０５へ制御が移行される前に、利用者が提供口シャッタ２３を閉じる操作ボタンを押下するのに十分な時間（例えば、５秒間）待機してもよい。そして、その待機期間内にその操作ボタンが押下されなければ、搬送制御部６４は、待機期間経過後直ちに防火シャッタ４を閉鎖し、一方、その待機期間内にその操作ボタンが押下されれば、搬送制御部６４は、閲覧室７内にある金庫ボックス１０を強制搬入した後、防火シャッタ４を閉鎖してもよい。
また、上記実施形態において、提供口シャッタ２３に電動式シャッタを用いる構成としたが、手動式シャッタ及びシャッタを閉鎖状態に保持するロック機構を用いた構成としてもよい。この場合、閲覧テーブル２の制御部２５は、管理装置６から提供口シャッタ２３を開放させる信号を受信すると、ロック機構を制御してシャッタのロックを解除し、また手動シャッタの閉鎖を別途設けたセンサで検出すると、シャッタをロックする。
【００６３】
以上のように、当業者は、本発明の範囲内で、実施される形態に合わせて様々な変更を行うことができる。
【図面の簡単な説明】
【００６４】
【図１】本発明の一実施形態に係る自動貸金庫システムの概略構成図である。
【図２】閲覧テーブルの概略外観図である。
【図３】管理装置の機能ブロック図である。
【図４】本発明の一実施形態に係る自動貸金庫システムの全体処理の動作を示すフローチャートである。
【図５】本発明の一実施形態に係る自動貸金庫システムの全体処理の動作を示すフローチャートである。
【図６】利用者が閲覧室内にいる場合に、火災または地震が発生した時の自動貸金庫システムの動作を示すフローチャートである。
【符号の説明】
【００６５】
１    自動貸金庫システム
２    閲覧テーブル
３    搬送機構
４    防火シャッタ
５    カードリーダ
６    管理装置
７    閲覧室
８    金庫室
９    搬入口
１０    金庫ボックス
２１    操作・表示部
２２    ボックス提供口
２３    提供口シャッタ
２４    通信部
２５    制御部
６１    記憶部
６２    通信部
６３    認証制御部
６４    搬送制御部
６５    テーブル制御部
６６    放置監視部
６７    火災監視部
７１    ドア
７２    電気錠
【図１】
2010156137.tif 000003
【図２】
2010156137.tif 000004
【図３】
2010156137.tif 000005
【図４】
2010156137.tif 000006
【図５】
2010156137.tif 000007
【図６】
2010156137.tif 000008